(57)【要約】      （修正有）【課題】リサイクル作業がしやすい傘構造を提供する。【解決手段】中棒１０頂端には上ろくろが固定され、中棒には、上台座と下台座３２と開傘バネ３４とからなる下ろくろが貫設される。下ろくろの下台座の頂部には、接合溝を備えた接合台座３３が設けられ、各接合溝内の底部の両側内は、位置決め凹溝を形成し、支持骨４３の扁平部の末端は位置決めヘッドを形成し、位置決めヘッドは接合台座の位置決め凹溝内に配置され、接合台座は下台座頂部に螺合される。中棒下段の箇所には透孔が設けられ、手元の一側は収容溝５２を形成し、収容溝内には、貫通する栓孔と位置決め孔が設けられ、位置決め孔には、平板状本体及び本体から突出して形成する軸栓及び小型凸柱とからなる係合体５１が設けられる。はじきのボタンは、はじきの接合ヘッドに係合され、前記接合ヘッドの頂面は斜面を形成し、はじきとボタンの底部の接触箇所の表面も斜面を形成する。【選択図】図２
0003175583.tif 000002
【実用新案登録請求の範囲】
【請求項１】
中棒を備える傘構造であって、
中棒頂端には上ろくろが固定され、中棒には、上台座と下台座と開傘バネとからなる下ろくろが貫設され、
上ろくろの底部には緩衝体が連結され、中棒の底端には手元が連結され、傘骨の親骨の一端と上ろくろは枢設され、受骨の一端と親骨は枢設され、受骨の他端と下ろくろの上台座は枢設され、支持骨の一端と受骨は枢設され、支持骨の他端と下ろくろの下台座は枢設され、下ろくろの開傘バネは、上台座と下台座の間に配置され、中棒の手元に近い箇所には、開傘ボタンを備えたはじきが設けられ、下ろくろの下台座の頂部には、支持骨を枢設するための複数の接合溝を備えた接合台座が設けられ、各接合溝内の底部の両側内は、位置決め凹溝を形成し、支持骨の扁平部の末端は位置決めヘッドを形成し、位置決めヘッドは接合台座の位置決め凹溝内に配置され、接合台座は下台座頂部に螺合されることを特徴とする、傘構造。
【請求項２】
中棒下段の箇所には透孔が設けられ、手元の一側は収容溝を形成し、収容溝内には、貫通する栓孔と位置決め孔が設けられ、位置決め孔には、平板状本体及び本体から突出して形成する軸栓及び小型凸柱とからなる係合体が設けられ、手元は中棒底部に被せられ、係合体の軸栓は手元の栓孔に差し込まれるとともに中棒の透孔に貫設され、係合体の本体は手元の収容溝の溝面に貼り付けられ、それと同時に、小型凸柱は位置決め孔内に差し込まれ、それにより、中棒と手元が接合されることを特徴とする、請求項１に記載の傘構造。
【請求項３】
はじきのボタンは、はじきの接合ヘッドに係合され、前記接合ヘッドの頂面は斜面を形成し、はじきとボタンの底部の接触箇所の表面も斜面を形成し、ボタンを接合ヘッドに接合すると、その接合箇所は斜面空間が残されることを特徴とする、請求項１に記載の傘構造。
【考案の詳細な説明】
【技術分野】
【０００１】
本考案は傘構造に関し、特に下ろくろと手元の構造を改良した自動開閉傘に関する。
【背景技術】
【０００２】
従来の自動開閉傘構造は、図１に示すように、主に、金属製の中棒１０頂端に上ろくろ２０を設けるとともに、中棒１０に、上台座３１と下台座３２と開傘バネ３３からなる下ろくろ３０を貫設し、中棒１０底端には手元５０を設け、傘骨４０の親骨４１の一端を上ろくろ２０に枢設し、受骨４２の一端を親骨４１に枢設し、受骨４２の他端を下ろくろ３０の上台座３１に枢設し、支持骨４３の一端を受骨４２に枢設し、支持骨４３の他端を下ろくろ３０の下台座３２に枢設し、上ろくろ２０底部に緩衝体６０を設け、下ろくろ３０の開傘バネ３３を上台座３１と下台座３２の間に配置し、中棒１０における手元５０に近い箇所に開傘ボタン７２を備えるはじき７０を設けてなる。ボタン７２を押すと、はじき７０と下ろくろ３０の係合が解除され、開傘バネ３３の作用により、下ろくろ３０が上に移動し、全ての傘骨４０が開き、傘が開く動作が完了する。
【０００３】
この種の傘は、使用の機能面に関しては特に何の欠点もない。しかしながら、傘が壊れた時にリサイクルする際の効率に関しては不十分な点がある。この種の傘の下ろくろ３０と手元５０はプラスチックからなり、残りの部材は多くは金属材質からなるが、従来の下ろくろ３０の下台座３２と支持骨４３は針金で巻きつけてあり、手元５０と中棒１０もリベットで固定してある。従って、傘をリサイクルする際に、プラスチックと金属を分離させる作業に手間と時間がかかり、リサイクルする上で不便であるため、この種の従来の自動開閉傘の構造は改善の必要がある。
【考案の概要】
【考案が解決しようとする課題】
【０００４】
そこで、本考案は、リサイクル作業がしやすい傘構造を提供することを目的とする。
【課題を解決するための手段】
【０００５】
本考案による傘構造は、中棒を備える。中棒頂端には上ろくろが固定され、中棒には、上台座と下台座と開傘バネとからなる下ろくろが貫設され、上ろくろの底部には緩衝体が連結され、中棒の底端には手元が連結され、傘骨の親骨の一端と上ろくろは枢設され、受骨の一端と親骨は枢設され、受骨の他端と下ろくろの上台座は枢設され、支持骨の一端と受骨は枢設され、支持骨の他端と下ろくろの下台座は枢設され、下ろくろの開傘バネは、上台座と下台座の間に配置され、中棒の手元に近い箇所には、開傘ボタンを備えたはじきが設けられ、下ろくろの下台座の頂部には、支持骨を枢設するための複数の接合溝を備えた接合台座が設けられ、各接合溝内の底部の両側内は、位置決め凹溝を形成し、支持骨の扁平部の末端は位置決めヘッドを形成し、位置決めヘッドは接合台座の位置決め凹溝内に配置され、接合台座は下台座頂部に螺合される。中棒下段の箇所には透孔が設けられ、手元の一側は収容溝を形成し、収容溝内には、貫通する栓孔と位置決め孔が設けられ、位置決め孔には、平板状本体及び本体から突出して形成する軸栓及び小型凸柱とからなる係合体が設けられ、手元は中棒底部に被せられ、係合体の軸栓は手元の栓孔に差し込まれるとともに中棒の透孔に貫設され、係合体の本体は手元の収容溝の溝面に貼り付けられ、それと同時に、小型凸柱は位置決め孔内に差し込まれ、それにより、中棒と手元が接合される。はじきのボタンは、はじきの接合ヘッドに係合され、前記接合ヘッドの頂面は斜面を形成し、はじきとボタンの底部の接触箇所の表面も斜面を形成し、ボタンを接合ヘッドに接合すると、その接合箇所は斜面空間が残される。
【考案の効果】
【０００６】
極めて精巧な構造により、傘骨に対して下ろくろを簡単に素早く取り付け取り外しを行うことができ、中棒に対して手元を簡単に素早く取り付け取り外しできる。それにより、傘の組み立てを容易にし、傘が壊れた時に、プラスチックからなる下ろくろと手元を簡単な動作で取り外すことができ、金属製の傘の部材を直接リサイクルでき、傘のリサイクル作業がしやすくなる。
【図面の簡単な説明】
【０００７】
【図１】本考案の全体の構造を示した概略図である。
【図２】本考案の主な構造の断面図である。
【図３】本考案の接合台座の頂面図である。
【図４】本考案の接合台座の底面図である。
【図５】本考案の下ろくろの下台座の構造を示した概略図である。
【図６】本考案の手元の構造を示した概略図である。
【図７】本考案のはじきの構造を示した概略図である。
【図８】本考案のはじきの構造を示した概略図である。
【考案を実施するための形態】
【０００８】
図１に示すように、本考案の構造は、主に、中棒１０と、上ろくろ２０と、下ろくろ３０、複数の傘骨４０及び手元５０等の部材からなる。中棒１０は金属製品であり、上ろくろ２０は、同様に金属製品であるとともに、中棒１０の頂端に固定され、上ろくろ２０の底部には、金属製の緩衝体６０が連結され、下ろくろ３０は、中棒１０に被せられるとともに、金属材質の上台座３１と、プラスチック材質の下台座３２と、金属製の開傘バネ３３とからなる。傘骨４０は、金属材質の親骨４１と、受骨４２と、支持骨４３とからなる。親骨４１の一端と上ろくろ２０は枢設され、受骨４２の一端と親骨４１は枢設され、受骨４２の他端と下ろくろ３０の上台座３１は枢設され、支持骨４３の一端と受骨４２は枢設され、支持骨４３の他端と下ろくろ３０の下台座３２は枢設される。手元５０は、中棒１０の底端に連結されるとともにプラスチック製品であり、下ろくろ３０の開傘バネ３３は、上台座３１と下台座３２の間に配置される。また、中棒１０における手元５０に近い箇所には、開傘ボタン７２を備える金属材質のはじき７０が設けられる。ボタン７２はプラスチック材質であり、ボタン７２を押すと、はじき７０と下ろくろ３０の係合が解除され、開傘バネ３３の作用により、下ろくろ３０が上に移動して全ての傘骨４０が開き、傘を開く動作が完了する。
【０００９】
図１から図５に示すように、本考案の主な改良箇所は、下ろくろ３０の下台座３２と支持骨４３の構造形態にある。下台座３２の頂部には、支持骨４３を連結させるための複数の接合溝３３１を備える接合台座３３が設けられ、各接合溝３３１内の底部の両側は、内側に凹んで位置決め凹溝３３２を形成する。支持骨４３の扁平部４３１の末端は位置決めヘッド４３２を形成し、接合台座３３の位置決め凹溝３３２内に入れることができる。また、下台座３２の頂部は接合部３２１を形成し、接合台座３３は接合部３２１上に螺合され、それにより、接合台座３３底面と下台座３２頂面かぴったりと接合され、支持骨４３を針金で縛らなくても、簡単に下台座３２と枢設させることができ、しかも、簡単に取り外すことができる。
【００１０】
図１、図２、及び図６に示すように、本考案のもう一つの改良箇所は、中棒１０と手元５０の構造形態である。中棒１０下段箇所に透孔１０１が設けられ、手元５０の一側は収容溝５２を形成し、収容溝５２内には貫通する栓孔５０１及び位置決め孔５０２が設けられ、位置決め孔５０２には、平板状本体５１１及びそこから突出して形成される軸栓５１２及び小型凸柱５１３とからなる係合体５１が設けられ、手元５０は中棒１０底部に被せられる。以上の構造により、係合体５１の軸栓５１２を手元５０の栓孔５０１に差し込むとともに中棒１０の透孔１０１に貫設させ、係合体５１の本体５１１を手元５０の収容溝５２の溝面に貼り付け、それと同時に、小型凸柱５１３を位置決め孔５０２内に差し込むと、中棒１０と手元５０が固定される。そして、係合体５１の本体５１１を引っ張り、係合体５１を抜きだすだけで、中棒１０と與手元５０を簡単に分離させることができる。
【００１１】
図２、図７、及び図８に示すように、本考案のもう一つの改良箇所は、中棒１０上のはじき７０の構造である。図７には、一般的なはじき７０とボタン７２の連結形態を示している。ボタン７２は、はじき７０の接合ヘッド７１上に係合され、接合ヘッド７１の頂面はなめらかな面であり、ボタン７２の接合面と完全に貼りついている。また、ボタン７２底面とはじき７０の頂面も、平らに貼りついている形態である。このため、ボタン７２を抜きとる時は、非常に大きな外力を加える、或いは、工具の助けを借りなければ、ボタン７２を引き抜くことはできない。従って、本考案では、図８に示すように、はじき７０の接合ヘッド７１の頂面は斜面を形成し、はじき７０とボタン７２の底部の接触箇所の表面も同様に斜面を形成するため、ボタン７２と接合ヘッド７１を連結させた後、その接合箇所内には斜面空間が残される。従って、ボタン７２を斜面に向かって軽く力を入れて引けば、簡単にはじき７０から外れる。
【符号の説明】
【００１２】
１０    中棒        
２０    上ろくろ            
３０    下ろくろ    
３１    上台座    
３２    下台座    
３３    接合台座    
３４    開傘バネ    
４０    傘骨    
４１    親骨    
４２    受骨
４３    支持骨        
５０    手元        
５１    係合体    
５２    収容溝    
６０    緩衝体    
７０    はじき        
７１    接合ヘッド        
７２    ボタン
１０１  透孔      
３２１  接合部      
３３１  接合溝    
３３２  位置決め凹溝
４３１  扁平部    
４３２  位置決めヘッド    
５０１  栓孔        
５０２  位置決め孔
５１１  本体        
５１２  軸栓        
５１３  凸柱
【図１】
0003175583.tif 000003
【図２】
0003175583.tif 000004
【図３】
0003175583.tif 000005
【図４】
0003175583.tif 000006
【図５】
0003175583.tif 000007
【図６】
0003175583.tif 000008
【図７】
0003175583.tif 000009
【図８】
0003175583.tif 000010